(57)【要約】【課題】利用者のさり気ない動作を捕らえて、利用者に意識させることなく、利用者のニーズにあった情報を表示する情報表示部を提供する。【解決手段】各種の情報を表示する大型の表示装置２４０と、この表示装置の前方の所定の領域に設定され、利用者の動作状態を検知する動作検知装置２３１と、前記動作検知装置で得られた検知結果を利用者の興味度に変換する興味度変換手段と、前記興味度変換手段で得られた興味度に対応する映像を記録する記録装置と、前記記録手段から前記興味度に対応する映像を引き出して前記表示装置２４０に表示する手段を備えるようにする。【選択図】図１
2005227522.tif 000002
【特許請求の範囲】
【請求項１】
各種の情報を表示する表示装置と、
前記表示装置の前方の所定の領域に設定され、利用者の動作状態を検知する動作検知装置と、
前記動作検知装置で得られた検知結果を利用者の興味度に変換する興味度変換手段と、
前記興味度変換手段で得られた興味度に対応する映像を記録する記録装置と、
前記記録手段から前記興味度に対応する映像を引き出して前記表示装置に表示する手段とを備えるたことを特徴とする情報表示装置。
【請求項２】
各種の情報を表示する表示装置と、前記表示装置の前方の所定の領域に設定され、人の動作状態を検知する動作検知装置と、映像を記録する記録装置と、この情報表示装置を統括する制御装置とを備え、
前記制御装置は、
前記動作検知装置で人を検知すると、この人を検知した第１の領域に対応する第１の映像を前記記録装置から呼び出して前記映像表示装置に表示し、
前記第１の領域に人が滞在する時間または前記第１の領域から前記表示装置に近い第２の領域に人を検知すると、前記映像に関する興味度を加算して、前記第１の映像に関連する第２の映像を前記記憶装置から呼び出して前記表示装置に表示し、
前記加算された興味度を前記映像に関連つけて前記記憶装置に記憶することを特徴とする情報表示装置。
【発明の詳細な説明】
【技術分野】
【０００１】
本発明は、顧客のさり気ない動作を捕らえて、顧客のニーズにあった情報を提供する情報表示装置や、この情報表示装置を備えた情報提供システムに関する。
【背景技術】
【０００２】
近年の情報技術は目覚しく、私たちの周りには情報が氾濫している。これらの情報から興味の有る情報を入手するのは大変である。図７は、私たちを取り巻く情報の入手手段を概念的に示したものである。情報を入手する手段を入手者の動作軸で見た場合、一方に、情報端末機などで代表される能動態の入手手段があり、他方に、テレビＣＭなどで代表される受動態の入手手段が有る。
【０００３】
前記情報端末のような外部から入手するツールは、インターネットに接続することで多様な情報を入手することができる。しかしこれは、操作者自信が積極的に操作して情報を取得する能動的手法で得られるものである。これらの情報は、既に、その情報に興味を以って必要と感じている情報である。このため、入手したい情報が明確であれば有効であるが、気付いていない情報には対処できない。
【０００４】
一方、テレビＣＭなどで受動的に提供される情報は、無駄な情報が多すぎて、使用者にとってはわずらわしいものである。例え、気になる情報が含まれていたとしても、その情報は通りすぎてしまい、更なる詳細情報を入手することが困難である。
【０００５】
一方、私たちの周囲には、使用者の意志に関係なく、能動的な情報と受動的な情報の中間的なものもある。例えば、チラシやパンフレットは、操作者自信が提供ボックスなどから取ることで詳細な情報を入手することができるが、この種の情報量が多すぎて、取得することをさしひかえぎみである。他方、ポスタなどは、電車や壁面に貼られているため、受動的な意味合いが強い情報源である。しかし、このポスタは、情報入手者からすれば、人目を引くように貼られた情報から、興味が有れば目を止め、更に足を止めて情報を入手することができ、更に、興味が有ればより近づいてさらなる情報を入手することができる。つまり、このポスタなどの情報源は意識していない人の目に情報が飛び込み、この情報が必要であることを気付かせてくれる効果が有る。
【０００６】
一方、これを情報提供者からみた場合、いくら情報入手者に情報を提供しても、この情報が必要であると気付いていない人にとっては、わずらわしい情報であり、かえって、この情報を不要と感じさせる心配すらある。つまり、このような情報入手者に対しては、その情報が必要であると気付かせることが必要である。
【０００７】
近年の情報端末においては、インターネットのアクセス先をカウントして、このカウントから情報入手者の興味を推定して、この指定から関連情報を提供する技術が提案されている。しかし、この技術によれば、前記したように、利用者の能動的な操作によって興味を気付かせることができるが、受動的な傾向に有る情報入手者には効果が薄いといえる。
【０００８】
【特許文献１】特開平１１−２５００９１号
【発明の開示】
【発明が解決しようとする課題】
【０００９】
一般消費者は、ものを購入する場合、特定のものが欲しいと気付いて、そのものがどんなものであるかを理解し、それが自分に必要なものであると納得して購入する。したがって、情報提供者は特定のものが欲しいと気付いた情報入手者に、さらに詳細な情報を提供して、そのものに関する興味を深める必要が有る。
【００１０】
例えば、金融などの投資情報は、ＡＴＭの操作画面の待ち受け画面やポスタなどで利用者に提供されるが、利用者は自分には関係のない情報と思い込み気付くまでにはいたらないのが現状である。しかし、利用者は、このような情報にまったく興味を持っていないわけではない。例えば、ポスタなどに目を引かれ、立ち止まって、その情報のさらなる情報を得ようとする向きも有る。
【００１１】
しかし、このような、利用者に対して、積極的に情報を提供しようとすると、逆効果で尻後みしてしまう。
そこで、この発明の目的とするところは、顧客のさり気ない動作を捕らえて、顧客に意識させることなく、顧客のニーズにあった情報を表示する情報表示部を提供することにある。
【課題を解決するための手段】
【００１２】
本発明の情報表示装置は、前記目的を達成するために、
各種の情報を表示する大型の表示装置と、
この表示装置の前方の所定の領域に設定され、利用者の動作状態を検知する動作検知装置と、
前記動作検知装置で得られた検知結果を利用者の興味度に変換する興味度変換手段と、
前記興味度変換手段で得られた興味度に対応する映像を記録する記録装置と、
前記記録手段から前記興味度に対応する映像を引き出して前記表示装置に表示する手段を備えるようにする。
また、本発明の情報表示装置は、前記目的を達成するために、
各種の情報表示する大型の表示装置と、
この表示装置の前方の所定の領域に設定され、人の動作状態を検知する動作検知装置と、
映像を記録する記録装置と、
この情報表示装置を統括する制御装置とを備え、
前記制御装置は、
前記動作検知装置で人を検知すると、この人を検知した第１の領域に対応する第１の映像を前記記録装置から呼び出して前記映像表示装置に表示し、
前記第１の領域に人が滞在する時間または前記第１の領域から前記表示装置に近い第２の領域に人を検知すると、
前記映像に関する興味度を加算して、前記第１の映像に関連する第２の映像を前記記憶装置から呼び出して前記表示装置に表示するとともに、
前記加算された興味度を前記映像に関連つけて前記記憶装置に記憶するようにする。
【発明の効果】
【００１３】
本発明によれば、顧客のさり気ない動作を捕らえて、利用者に意識させることなく、顧客のニーズにあった情報を提供することができる。
【発明を実施するための最良の形態】
【００１４】
以下、図１から図６を参照して、この実施の形態を説明する。この実施の形態は、銀行システムに採用されたものである。図１は銀行システムのネットワーク構成図、図２は営業店舗の平面図、図３は表示装置の構成図、図４は動作フローチャート、図５は表示装置の画面遷移図、図６は他の動作フローチャートである。
【００１５】
先ず、図１を参照して、この銀行システムを説明する。この銀行システムでは、この銀行システムを統括するセンタ１００に対して複数の営業店舗２００や専門センタ３５０がネットワーク３００で接続されている。前記営業店舗２００には店舗ネットワーク２１１を介して複数の機器が接続され、これら機器が前記ネットワーク３００を介して前記センタ１００や前記専門センタ３５０と接続され、この銀行システムを利用する顧客に対して各種の金融サービスを提供することができる。この他、この銀行システムには前記ネットワーク３００を介して他の金融システムや各種のサービスサイトに接続することができる。
【００１６】
そして、この金融システムの特徴は、各種の金融サービスに加えて、顧客のさり気ない動作を捕らえて、利用者に意識させることなく、顧客のニーズにあった情報を表示する広告表示システム２３０を採用した点にある。この金融システムでは、営業店舗２００に来店する顧客に対して広告表示システム２３０を介してポスタの要素を備えた所定の広告を映像情報として提供し、この映像情報に対する顧客のさり気ない動作から広告に関する興味度を算出し、この興味度の算出結果に対応した詳細情報を広告表示システム２３０のスクリーン２５０に表示し、これらの情報が利用者にとって興味ある情報であると気付かせ、さらなる「理解」のステップ、さらに「納得」へのステップへ進んでもらうものである。加えて、これら広告情報に関する興味度を前記広告情報とともに記録し、以後の顧客動向の参考とすることができる。
【００１７】
この実施の形態では、前記広告表示システム２３０を、各種の広告情報を表示する表示装置２４０と、この表示装置２４０の前方の所定の領域に設けられる動作検知装置２３１と、広告表示制御装置２４２とから構成する。この実施の形態では、前記表示装置２４０を背面投射型の表示機器を採用している。つまり、この実施の形態では、スクリーン２５０の背面側に複数のプロジェクタ２４１ａ、２４１ｂを備えた表示装置２４０を採用している。もちろん、この背面投射型の表示装置に限定されるものでははない。
【００１８】
また、この実施の形態の前記動作検知装置２３１は、複数のタッチセンサを格子状に配列したものを採用している。この動作検知装置２３１は、各格子状の１つのエリアに人を検知すると、検知信号を出力する。もちろん、この格子状のタッチセンサに限定されるものではなく、顧客に発信機を持たせて、その位置を検知させたり、あるいは、天井面などから電波を発信して、人を検知するものでもよい。
【００１９】
また、前記広告表示制御装置２４２は、前記動作検知装置２３１で得られた検知結果を利用者の興味度に変換する興味度変換プログラムを備えており、この興味度変換プログラムで得られた興味度に対応する映像を記録する図示しない記録装置を備えている。さらに、この記憶装置には、前記映像に関連付けて前記興味度を記録することができる。
【００２０】
前記広告表示制御装置２４２は、前記動作検知装置２３１の各エリアの１つに人を検知すると、この人を検知した第１のエリアに対応する第１の映像を前記記録装置から呼び出して前記表示装置２４０に表示し、前記第１のエリアに人が滞在する時間または前記第１のエリアから前記表示装置２４２に近い第２のエリアに人を検知すると、前記映像に関する興味度を加算して、前記第１の映像に関連する第２の映像を前記記憶装置から呼び出して前記表示装置２４２に表示するとともに、前記加算された興味度を前記映像に関連つけて前記記憶装置に記憶するようにすることができる。
【００２１】
この実施の形態では、映像や興味度を前記広告表示制御装置２４２の図示しない前記記録装置に格納しているが、前記店舗ネットワーク２１１を介して他の記憶装置に格納し、またここから呼び込んでもよい。
【００２２】
このように、この実施の形態の広告表示制御装置２４２によれば、前記表示装置２４０の前方に設けられる前記動作検知装置２３１に人が立ち入ると、その立ち入った位置に対応する映像が前記表示装置２４０に表示される。そして、その立ち入った人が、所定の時間同じ位置に立ち止まったり、あるいはこの表示装置２４０側に移動すると、前記広告表示制御装置２４２は立ち入った人が表示される映像に興味があると判定し、この表示の詳細情報を表示する。この広告表示制御装置２４２は、移動した位置からさらに人が表示装置２４０側に移動したり、所定時間同じ位置に立ち止まっていると、さらに興味があると判定し、更なる詳細情報を表示する。このように、この実施の形態によれば、興味度を、人が映像の前に立ち止まったり、あるいは映像に近づいたりする動作を興味があると判定して、更なる詳細情報を表示するので、利用者の行動に合わせて情報を表示することができる。
【００２３】
また、この実施の形態では、スクリーン２５０に複数のウインドウを表示し、各ウインドウに情報を表示する。そして、このウインドウに対応して検知領域が設定される。したがって、この実施の形態では、前記表示装置２４０の前を同じ距離で歩くと、その歩いている位置に対応するウインドウの表示内容が変化する。この際、人が特定のウインドウに表示される広告情報に目を引かれて、その広告情報を読むために足を止めたり、映像に近づくと、その広告情報の詳細情報が表示される。
【００２４】
以下、図１から図６を参照して、この実施の形態をさらに詳細に説明する。図１において、先ず、この銀行システムを詳細に説明する。
前記センタ１００は、ＨＵＢサーバ１５０を介して他の営業店舗２００や専門センタ３５０と接続することで、銀行内の全ての情報を統括管理している。このHUBサーバ１５０は、ゲートウエイサーバを兼用するものであり、チャネル系APサーバ郡を統括する統合チャネルサーバ１１０と、勘定系ホスト１４０と、各種の新商品情報データを備えた新商品サーバ１３０と、全ての顧客情報を統括的に管理する顧客管理サーバ１２０などが接続される。
【００２５】
統合チャネルサーバ１１０は、前記ネットワーク３００を介して営業店舗２００と接続されて、営業店舗２００に各種の情報を提供する支援システムである。この統合チャネルサーバ１１０の統括下には、ＩＢコンテンツデータを備えたＩＢサーバ１１１と、営業店のコンテンツデータを備えた営業店ＡＰサーバ１１２と、来店顧客情報データを備えた来店管理サーバ１１３と、商品のコンテンツデータを備えた商品情報サーバ１１４と、行員情報データを備えた行員管理サーバ１１５と、顧客情報データを備えた顧客情報管理サーバ１１６とを備えている。
【００２６】
一方、営業店舗２００は、店舗ネットワーク２１１を介して、この銀行システムで特徴的な前記広告表示システム２３０のほか各種装置が接続されている。例えば、このシステムでは、ＡＴＭ（現金自動預払機）２０９、顧客の店舗の出入りを管理する受付端末２０８、顧客の各種の相談に対応する相談端末２０７、顧客に各種の情報を提供する情報テーブル端末２０６、行員が顧客に対して相談や商談を薦める相談テーブル端末２０５、行員が顧客に対して各種サービスを行う窓口ＰＣ端末２０４、前記窓口ＰＣ端末２０４を支援する後方ＰＣ端末２０３、各種の金融関連装置からなる金融デバイス２０２、店舗内の各種情報を管理する営業店サーバ２０１、店舗内の無線通信や位置検知を行う店舗通信システム２１０などが設けられている。
【００２７】
また、この銀行システムでは、顧客が所有する携帯端末２１３や、この銀行が顧客に提供するＩＤカード２１２などを介して各種の情報を提供することができる。例えば、前記携帯端末２１３やＩＤカード２１２に備えた顧客を特定するＩＤ情報を前記店舗通信システム２１０を介して無線で受信することができる。この前記店舗通信システム２１０では、店舗内の顧客の位置を特定することができる。したがって、前記広告表示システム２３０と組み合わせることで顧客を特定することができる。これにより、顧客がどのような広告情報に対して興味を持っているかを記録して判定することができ、以後の顧客へのサービスを向上させることができる。
【００２８】
このように、この実施の形態では、前記広告表示システム２３０で、広告情報に対して意識していない人に能動的に働きかけて、興味を持った人に詳細な情報をタイムリーに提供することにより、自分にとって当該広告情報が重要であることを気付かせることができる。
【００２９】
そして、広告情報に興味があることに気付いた顧客に対しては、行員と接触することなく自分で情報を引き出すことができる情報テーブル端末２０６を通じて前記広告情報の金融商品などの理解を深めることができる。
さらに、前記理解を深めた顧客が、さらに興味を持つ金融商品であれば、自動機ではあるが必要により専門センタ３５０の相談員端末３７０を通じて各種のアドバイスを受けることができる前記相談端末２０７や、あるいは直接行員から説明を受けることができる相談テーブル端末２０５を介して当該金融商品について納得できる説明をうけることができる。
【００３０】
図２は、営業店舗２００の店舗レイアウトの一実施を示している。この店舗レイアウトは、この実施の形態に係る前記広告表示システム２３０の特徴を説明するための模式的なレイアウトであって、これに限定されるものではない。
【００３１】
図２において、この営業店舗２００は、複数のATM２０９などの自動機１０を備えた自動機エリア４と、窓口PC端末２０４を備えた窓口カウンタ９の前方に設定される待合室エリア５と、前記情報テーブル端末２０６などが設置された情報入手エリア６と、相談テーブル端末２０５などが設置された相談エリア７と、前記窓口カウンタ９の後方に設置され、前記後方ＰＣ端末２０３などが設置されるバックエリア８を備えている。前記自動機エリア４は、玄関スペース２に隣接しており、この玄関スペース２と前記自動機エリア４との間に前記広告表示システム２３０が設置される広告スペースエリア３が設定される。これにより、玄関スペース２から前記自動機エリア４に出入りする顧客に対して前記広告表示システム２３０を介して各種の広告情報を提供することができる。
【００３２】
この他、前記広告表示システム２３０は、この営業店舗２００の歩道に面した壁面やウインドウに、前記表示装置２４０のスクリーン２５０を歩道に対して向けるように設置される。前記壁面と歩道の間の植え込みに前記動作検知装置２３１を設けている。これにより、営業店舗２００の前の歩道を歩く一般顧客に対しても広告情報を提供することができる。しかも、興味がある顧客は、前記動作検知装置２３１のエリアに入ることにより、該当する詳細情報を入手することができる。
【００３３】
次に、図３から図５を参照して、この広告表示システム２３０の具体的な動作をさらに説明する。図３は動作検知装置２３１と表示装置２４０のスクリーン２５０に表示される映像との関係を示した概念図、図４は動作フロー図、図５は映像画面の遷移図である。
【００３４】
図３において、前記したように、この実施の形態では、前記表示装置２４０は、複数のプロジェクタ２４１、２４３を備えて、複数のウインドウ２５１から２５５を表示している。この実施の形態では、１つのプロジェクタ２４１で複数のウインドウ２５１、２５２を表示させていることができる。しかし、各プロジェクタ1台に１つのウインドウを表示させてもよい。また、図１に示すプロジェクタ２４１ａ、２４１ｂのように、ウインドウ部分を黒塗りで写すことで、このウインドウ以外の背景を写すプロジェクタ２４１ａと、ウインドウ部分に映像を写すプロジェクタ２４１ｂと組み合わせて放映する表示装置２４０を採用してもよい。このような組み合わせのシステムを使うことで、ウインドウ部分の映像精度を向上させて詳細情報を見やすくすることができる。
【００３５】
さて、この実施の形態では、スクリーン２５０に複数のウインドウ２５１から２５５が並べて表示される。そして、各ウインドウにはそれぞれ異なった広告情報が表示される。また、この各ウインドウの前には、それぞれの映像に対応した動作検知装置２３１のエリアが設定される。例えば、ウインドウ２５１には、第１のエリア１Ａと第２のエリア１Ｂと第３のエリア１Ｃがスクリーン２５０の距離に対応して設定される。同様に、ウインドウ２５２にはエリア２Ａから２Ｃ、ウインドウ２５３にはエリア３Ａから３Ｃが設定される。
【００３６】
この実施の形態では、第１のエリア１Ａから５Ａが前記スクリーン２５０から等距離にあり、この第１のエリア１Ａから５Ａよりスクリーン２５０側に第２のエリア１Ｂから５Ｂが設定され、さらにスクリーン２５０側に第３のエリア１Ｃから５Ｃが設定される。この実施の形態では、スクリーン２５０からの距離で３つのエリアに分割したが、この分割個数は任意に設定することができる。
【００３７】
また、この実施の形態では、前記広告表示エリア３に前記店舗通信システム２１０に接続するセンサ（アンテナ）２１０ａが設置される。これにより、この銀行システムに登録された携帯端末２３１またはＩＤカード２１２の位置座標を検知することができる。
【００３８】
次に、前記図３及び図５の表示画面を参照して、図４の動作フローを説明する。先ず、前記広告表示制御装置２４２は、この広告表示システム２３０が電源ＯＮされると、記憶装置からコンテンツ０の映像情報を前記記憶装置から呼び出して表示装置２４０に表示する。このコンテンツ０の映像情報は静止画でも動画でもよい。この実施の形態では、ウインドウ２５１に「普通貯金にお金が眠っていませんか」と顧客の気になるキーワードを静止画で表示する（ステップ４０１）。そして、前記動作検知装置２３１から信号が発信されるのを待機している（ステップ４０２）。この広告表示制御装置２４２は、待機に当たり、先ず、前記表示装置２４０に最も近い位置にある第３のエリア１Ｃで人を検知したか否か（ステップ４０３）、次に第２のエリア１Ｂで人を検知したか否か（ステップ４０４）、次に第１のエリア１Ａで人を検知したか否か（ステップ４０５）の順番で人が前記動作検知装置２３１に立ち入ったか否かを検知している。これにより、例えば、第２のエリア１Ｂで立ち止まって、映像を見ている後ろの第１のエリア１Ａに人が立ち入っても最初にこの映像を見ている映像の順番を乱すことをなくすことができる。
【００３９】
ここで、ステップ４０３で、前記動作検知装置２３１が第３のエリア１Ｃに人を検知した信号を発信すると、この広告表示制御装置２４２は興味度ａを３と判定し、対応する映像のコンテンツｎを４に設定する（ステップ４０６）。また、ステップ４０４で、前記動作検知装置２３１が第２のエリア１Ｂに人を検知した信号を発信すると、この広告表示制御装置２４２は興味度ａを２と判定し、対応する映像のコンテンツｎを３に設定する（ステップ４０７）。同様に、ステップ４０５で、前記動作検知装置２３１が第１のエリア１Ａに人を検知した信号を発信すると、この広告表示制御装置２４２は興味度ａを１と判定し、対応する映像のコンテンツｎを２に設定する（ステップ４０８）。
【００４０】
そして、ステップ４０９において、広告表示制御装置２４２が判定した映像のコンテンツを記憶装置から呼び出してウインドウ２５１に表示する。ここで、この実施の形態では、前記第１のエリア１Ａに人を検知すると、図５に示すコンテンツ０からコンテンツＡに映像を切り替える。また、第２のエリア１Ｂで人を検知すると、コンテンツＡの映像の内容をコンテンツＢに切り替え、更に、第３のエリア１Ｃで人を検知するとコンテンツＣ１、更にコンテンツＣ２、コンテンツＣ３と順次映像を切り替える。
【００４１】
この実施の形態では、待機状態では、コンテンツ０のように気になるキーワードを表示させ、第１のエリア１Ａに人が立ち入るとキャラクタが手を振って顧客の目線を引くようなコンテンツＡを表示する。更に、このコンテンツＡに興味を持ってこのコンテンツに顧客が近づくとウインドウが拡大して、図表や少し詳細な映像であるコンテンツＢを表示する。そして、更に顧客が近づけば、より詳細な詳細情報であるコンテンツＣ１からＣ３の映像を拡大表示する。これにより、顧客は、スクリーン２５０に近付く何気ない動作にともなって、情報が段階的に、かつ読みやすい拡大表示で提供されるので、顧客の興味度により情報量を徐々に増やして「気付き」から次の「理解」へのステップへ行きやすくすることができる。
【００４２】
また、前記広告表示制御装置２４２は、ステップ４０９で映像を切り替えると、タイマの時間をリセットして、タイマをスタートさせる（ステップ４１０）。そして、前記ステップ４０３から４０５と同様なステップ４１１、４１２、４１３のステップを行って、前記ステップ４０３から４０５で検知した顧客が何処へ移動するか監視する。第３のエリア１Ｃで人を検知する（ステップ４１１）と変更された興味度ａ’を３に判定し（ステップ４１５）、第２のエリア１Ｂで人を検知すると（ステップ４１２）変更された興味度ａ’を２に判定し（ステップ４１６）、第１のエリア１Ａで人を検知すると（ステップ４１３）変更された興味度ａ’を１に判定する。（ステップ４１７）
そして、前記広告表示制御装置２４２は、変更された興味度ａ’から先の興味度ａを引いた数値が１であるか否かを判定する（ステップ４１８）。この判定結果が１の場合、例えば、第１のエリア１Ａから第２のエリア１Ｂに移動するように、顧客がスクリーン２５０に１個のエリア分、近づいたことになるので、ステップ４２２に進ませる。
【００４３】
一方、ステップ４１８において判定結果が１でない場合、次のステップ４１９で、判定結果が２であるか否かを判定する。ここで、ステップ４１８において判定結果が２の場合、顧客が第１のエリア１Ａから第３のエリア１Ｃへ飛んだことになる。これは不自然であるので、この実施の形態では、他の顧客が、第３のエリア１Ｃに立ち入ったと判断して、ステップ４０２へ移行させる。
【００４４】
ステップ４１９で、判定結果が２でもない場合は、タイマの経過時間ｔが所定時間Ｃを経過したか否かを判定する（ステップ４２０）。タイマの経過時間ｔが所定時間Ｃを経過しない場合、タイマの経過時間ｔに判定回数１を加算してステップ４１１へ移行させる。
【００４５】
一方、タイマの経過時間ｔが所定時間Ｃを経過した場合は、コンテンツｎが最終のコンテンツ６であるか否かを判定する（ステップ４２２）。  ここで、顧客が第３のエリア１Ｃを移動しないで所定期間Ｃを経過し続けると、この実施の形態では、最終のコンテンツ６を表示し続けることとなる。これは、顧客に考える時間を与えるためである。
【００４６】
ステップ４２２で、最終のコンテンツｎが６でない場合、現在の興味度が増したと判定し興味度ａをａ’に変更し、コンテンツｎに１を換算して（ステップ４２４）、次のコンテンツｎ＋１を記憶装置から呼び出して表示装置２４０に表示し（ステップ４２４）、更にタイマをリセットして（ステップ４２５）、ステップ４１１に移行させる。
【００４７】
ここで、この実施の形態では、各ウインドウに表示されるコンテンツに対応する興味度加算エリアを前記記憶装置に設けている。そして、ステップ４２４において、このウインドウに表示される広告情報を呼び込む際に、前記興味度加算エリアに興味度の加算を行う。
【００４８】
このように、この実施の形態では、顧客がスクリーン２５０に近づくか、あるいは所定時間Ｃ以上移動しなければ、興味度が増したと判定して、更なる映像を提供させることができる。また、各コンテンツは、その興味度が加算されるので、顧客の人気のあるコンテンツを統計的に求めることができる。
【００４９】
この図４のステップは、個々のウインドウに対して判定される。したがって、顧客が、第１のエリア１Ａに立ち入ると、前記広告表示制御装置２４２は、ウインドウ２５１に表示内容をコンテンツ０からコンテンツＡに変更し、この顧客が第２のエリア１Ｂに移動すればウインドウ２５１の表示内容をコンテンツＢに変更する。一方、第１のエリア１Ａに立ち入った顧客がそのまま隣の第１のエリア２Ａに移動すると、ウインドウ２５１の表示内容はコンテンツ０に戻り、第１のエリア２Ａに対応するウインドウ２５２の表示内容がコンテンツＡに変わることになる。したがって、第１のエリア１Ａから５Ａを直線的に歩く顧客に対して、この広告表示システム２３０は、ウインドウ２５１から２５５に顧客の動きに追随するように表示内容を変化させて、顧客に対してサインを送るように表示内容を変化させる。
【００５０】
また、この実施の形態では、携帯端末２１３またはＩＤカード２１２を所持する顧客の店舗内での位置を特定することができるので、前記動作検知装置２３１に立ち入った顧客を特定することができる。これによって、特定された顧客がどのような商品に興味を持っているか把握することができるので、この顧客情報を前記来店管理サーバ１１３に通知して、これを顧客管理サーバ１１６や顧客情報管理サーバ１２０に反映させて以後の情報提供サービスに反映させることができる。例えば、この反映方法には、自動機１０や相談端末２０７や情報テーブル端末２０６などでアドバイスする情報に活用することができる。
【００５１】
さて、このような特徴を備えた銀行システムによれば、次のような使用シーンで顧客に対して各種の情報サービスを行うことができる。これを図２を参照して説明する。
この実施の形態では、営業店舗２００の周りの壁面やウインドウに広告表示システム２３０が設置されているので、このウインドウの前の歩道をあるく顧客に対して、その何気ない動作を興味度として検知して各種の興味ある情報を提供することができ、店舗外から何か新しい感じの銀行であるとの印象を与えることができる。
【００５２】
また、最も目に付きやすい入口付近に広告表示システム２３０があり、この広告表示システム２３０に銀行の新しいサービスや商品の情報を表示することができる。入店する顧客が大画面の表示装置２４０の前に立つと自分の前に商品情報が拡大表示されるので、この商品情報から気になっている商品情報があれば気づかせることができる。この広告表示システム２３０で得られた顧客の当該商品に関する興味度を自動機に反映させることができるので、顧客がATM２０９に向かい出金操作をすると残高表示の際に自分の残高に対し、資産運用をした方が良いなど興味度の高い案内を表示させることができる。更に、出金操作を終えて帰ろうとする顧客に対して、表示装置２４０にATMで案内したと同様な資産運用についての案内を表示させることができる。この案内に対して、顧客が立ち止まると、その顧客に対してだけにわかりやすい概略情報を表示することができる。そして、コンテンツ６において、“詳細はパンフレツトをお取りになり情報コーナーの情報テーブルで“と店舗案内などの案内を表示されることができる。
【００５３】
次に、図６を参照して、他の実施の形態に係る広告表示システム２３０の動作フローを説明する。この実施の形態では、前記表示装置２４０に最も近い第３のエリア１Ｃに立ち入った顧客に詳細情報を提供し、その前の第１のエリア１Ａ、第２のエリア１Ｂは、前記第３のエリアに導くための興味度を増す表示変化を行うようにした簡易型のシステムである。
【００５４】
先ず、前記広告表示制御装置２４２は、この広告表示システム２３０が電源ＯＮされると、記憶装置からコンテンツ０の映像情報を呼び出して表示装置２４０に表示する（ステップ４５０）。そして、前記動作検知装置２３１から発信される信号を待機している（ステップ４５１）。この広告表示制御装置２４２は、待機に当たり、先ず、前記表示装置２４０に最も近い位置にある第３のエリア１Ｃで人を検知したか否か（ステップ４５２）、次に第２のエリア１Ｂで人を検知したか否か（ステップ４５３）、次に第１のエリア１Ａで人を検知したか否か（ステップ４５４）の順番で人が前記動作検知装置２３１に立ち入ったか否かを検知している。
【００５５】
ここで、広告表示制御装置２４２は、ステップ４５２において、第２のエリア１Ｃの検知信号を受けるとウインドウ２５１にコンテンツＣ１を表示する（ステップ４５７）。一方、ステップ４５３で、第２のエリア１Ｂから信号を受信すると、ウインドウ２５１の表示画面をコンテンツＡからコンテンツＢに変化させ（ステップ４５５）、ステップ４５１に移行する。また、ステップ４５４で、第２のエリア１Ａから信号を受信すると、ウインドウ２５１の表示画面をコンテンツ０からコンテンツＡに変化させ（ステップ４５６）、ステップ４５１に移行する。
【００５６】
そして、ステップ４５７において、コンテンツＣ１を表示させると、タイマをリセットしてタイマ時間をカウントする。この実施の形態では、第３のエリア１Ｃで複数の詳細情報を表示させるので、この複数の詳細情報に対応して複数の経過時間をカウントしている。例えば、この実施の形態では、３つの詳細情報として、コンテンツＣ１、コンテンツＣ２、コンテンツＣ３を表示するので、２つの経過時間Ｔ１、Ｔ２をカウントする。そこで、タイマがカウントされると、先ず経過時間Ｔ２が経過した否か（ステップ４５９）、次いで経過時間Ｔ１が経過したか（ステップ４６０）を判定する。ステップ４５９で経過時間Ｔ２が経過した場合、ウインドウのコンテンツＣ２をコンテンツＣ３に変更し（ステップ４６２）、ステップ４６２へ移行する。一方、ステップ４６０で、経過時間Ｔ１が経過した場合は、ウインドウ２５１の表示内容をコンテンツＣ１からコンテンツＣ２に変更し（ステップ４６４）、ステップ４６２へ移行する。経過時間Ｔ２，Ｔ１が経過していない場合は、現在の経過時間に１を加算する（ステップ４６１）。
【００５７】
そして、この実施の形態では、コンテンツＣ１からＣ３の表示を第３のエリア１Ｃに人が検知されていれば表示し、この第３のエリア１Ｃから人が検知されなければ、ステップ４５３に移行する（ステップ４６２）。
このように、この実施の形態では、顧客が詳細情報を読みやすい位置（第３のエリア１Ｃ）では、滞在時間をカウントして、その滞在時間に対応した詳細なコンテンツを提供し、読みやすい位置までの導入エリア（第１のエリア１Ａ、第２のエリア１Ｂ）では、前記見やすい位置まで、顧客の興味を徐々に増すような段階的な表示を行うようにしている。
【図面の簡単な説明】
【００５８】
【図１】銀行システムのネットワーク構成図である。
【図２】営業店舗の平面図である。
【図３】表示装置の構成図である。
【図４】動作フローチャート図である。
【図５】表示装置の画面遷移図である。
【図６】他の動作フローチャート図である。
【図７】一般的な情報の入手手段を概念的に示した図である。
【符号の説明】
【００５９】
２…玄関スペース、３…広告スペースエリア、４…自動機エリア、５…待合室エリア、６…情報入手エリア、７…相談エリア、８…バックエリア、９…窓口カウンタ、１０…自動機、１００…センタ、１１０…統合チャネルサーバ、１２０…顧客情報管理サーバ、１３０…新商品サーバ、１４０…勘定系ホスト、１５０…HUBサーバ、３５０…専門センタ、
３００…ネットワーク、２００…営業店舗、２１０…店舗通信システム、２１０ａ…センサ、２１１…店舗ネットワーク、２３０…広告表示システム、２３１…動作検知装置、２４０…表示装置、２４１…プロジェクタ、２４２…広告表示制御装置、２５０…スクリーン、２５１から２５５…ウインドウ。
【図１】
2005227522.tif 000003
【図２】
2005227522.tif 000004
【図３】
2005227522.tif 000005
【図４】
2005227522.tif 000006
【図５】
2005227522.tif 000007
【図６】
2005227522.tif 000008
【図７】
2005227522.tif 000009